(57)【要約】私設／局所的な無線／携帯電話のシステム（すなわち、第２のシステム）におけるディジタル式無線／携帯移動電話の自動起動（すなわち、最初のアクセス）は、マクロセルラの第１の無線通信システム（すなわち、支配的なシステム）が重複した地域の中で行われる。第２のアクセス処理の操作は、支配的な無線通信システムのコントロール信号のレベルによる干渉から、第２のシステムに対するアクセス及び認証プロセスを遮蔽／マスクすることによって達成される。最初のアクセスの間に、第２のシステムには、認証及び結果として生ずるアクセスに必要なＳＩＤ、ＭＩＮ及びＥＳＮ番号が提供される。
2004503157.tif 000002
【特許請求の範囲】
【請求項１】
より強いコントロール及び起動平均信号強度で動作する重複した無線通信システム、と共に配置された私設局所無線通信システム内の無線電話を起動及び認証する方法であって、
前記より強いコントロール及び起動信号強度をマスクするステップと、
前記マスクするステップが行われる間に、前記私設局所無線通信システムのコントロール及び起動信号を前記無線電話に結合するステップと、
を含むことを特徴とする方法。
【請求項２】
請求項１に記載の方法であって、
前記マスクするステップは、
前記私設局所無線通信システムの起動及びコントロール信号が、規定された空間範囲の中にマスクされた前記無線通信システムの前記より高いコントロール及び起動平均信号強度の大きさを超えるものとするステップを含み、
前記結合するステップは、
前記無線電話を前記規定された空間範囲の中で起動目的で動作させるステップ、を含むことを特徴とする方法。
【請求項３】
請求項１に記載の方法であって、
前記コントロール及び起動信号を結合するステップは、
前記重複した無線通信システムと相互作用するコントロール及び起動のシナリオ、を複製したコントロール及び起動の応答を発生するステップを、
さらに含むことを特徴とする方法。
【請求項４】
請求項１に記載の方法であって、
前記マスクするステップは、
起動及びコントロール信号と結合している前記無線電話が存在する規定された空間内で、前記より高いコントロール及び起動平均信号強度の放射をブロックするステップ、を含むことを特徴とする方法。
【請求項５】
請求項１に記載の方法であって、
前記マスクするステップは、
前記私設局所無線通信システムのコントロール及び起動信号の放射の方向をコントロールするステップ、を含むことを特徴とする方法。
【請求項６】
請求項１に記載の方法であって、
前記結合するステップは、
アナログ及びディジタルの両方のコントロール及び起動信号を提供するステップ、を含むことを特徴とする方法。
【請求項７】
請求項２に記載の方法であって、
前記私設局所無線通信システムの前記起動及びコントロール信号が、前記重複した無線通信システムの前記より高いコントロール及び起動平均信号強度が使用する周波数と同じ周波数で動作する、
ことを特徴とする方法。
【請求項８】
第２の無線通信システム内で無線電話の起動及び認証を行うための無線アクセスを含み、支配的な無線通信システムと重複した前記第２の無線通信システムであって、
前記第２の無線通信システム内で、起動を求める無線電話のアクセス要求を受け入れる自動化された私設サービス起動（ＡＰＳＡ）ポートを含み、
前記ＡＰＳＡポートは、規定された空間制限でのみアクセスコントロールチャネルの信号レベルを超えるレベルで信号を放射するアクセスコントロールチャネルを提供し、
前記第２の無線通信システム内で起動を求める無線電話を受信するために提供された空間と、
を含むことを特徴とする第２の無線通信システム。
【請求項９】
請求項８に記載の第２の無線通信システムであって、
前記ＡＰＳＡポートが、ＴＩＡ／ＥＩＡ−１３６規格のもとで動作する、アナログ通信チャネル及びディジタル通信チャネルの両方を有する携帯電話の基地局の一部である、
ことを特徴とする第２の無線通信システム。
【請求項１０】
請求項８に記載の第２の無線通信システムは、
ディジタルのスイッチングと、標準的なラインインターフェースを介して前記ＡＰＳＡポートに接続されるサービス機能と、を提供するシステムコントローラ、をさらに含むことを特徴とする第２の無線通信システム。
【請求項１１】
請求項９に記載の第２の無線通信システムであって、
前記ＡＰＳＡポートは、
無線電話と隣接し、アクセス及び認証を行うために十分な信号レベルにおいてコントロールチャネルを前記無線電話に伝達し、かつ当該隣接する空間において、前記重複した支配的な無線通信システムのコントロールチャネルの信号レベルを超えるアンテナをカバーする表面、
を含むことを特徴とする第２の無線通信システム。
【請求項１２】
請求項９に記載の第２の無線通信システムであって、
前記ＡＰＳＡポートは、
アクセス及び認証を求める無線電話にアクセス可能なアンテナと、
前記重複した支配的な無線通信システムのコントロールチャネルの信号レベルをブロックする遮蔽と、
をさらに含むことを特徴とする第２の無線通信システム。
【請求項１３】
請求項１０に記載の第２の無線通信システムであって、
前記コントローラが、特定のサービス及び管理機能を提供するネットワークサービスプラットフォーム（ＮＳＰ）、
をさらに含むことを特徴とする第２の無線通信システム。
【請求項１４】
支配的な無線通信システムが重複した地域内で、第２の無線通信システムからアクセス及び認証を行う方法であって、
アクセス信号空間を作り出すステップであって、前記信号空間内の前記第２の無線通信システムの放射されたアクセスコントロール信号のレベルが、前記支配的な無線通信システムのアクセスコントロール信号のレベルを超える前記アクセス信号空間を作り出すステップと、
前記アクセス信号空間内にアクセスを求める無線電話を配置するステップ及び前記無線電話を起動するステップと、
前記無線電話により最強のコントロールチャネルを捜すステップと、
前記アクセス信号空間内に前記無線電話を配置することで、前記第２の無線通信システムの前記コントロールチャネルを選択するステップと、
前記無線電話が前記第２の無線通信システム内で動作することを許可及び認証するステップと、
を含むことを特徴とする方法。
【請求項１５】
請求項１４に記載の方法は、
前記第２の無線通信システムが前記支配的な無線通信システムと共に動作することを可能にするステップと、
ＴＩＡ／ＥＩＡ−１３６のもとで認められたＴＤＭＡ規格に基づいて行われる許可及び認証するステップと、
をさらに含むことを特徴とする方法。
【請求項１６】
請求項１４に記載の方法は、
前記第２の無線通信システムが前記支配的な無線通信システムと共に動作することを可能にするステップと、
アナログ規格に基づいて行われる許可及び認証するステップと、
をさらに含むことを特徴とする方法。
【請求項１７】
請求項１４に記載の方法は、
前記支配的な無線通信システムへの申込みを通してサービスの課金を可能にするために、前記支配的な無線通信システムのデータベースから受信された情報に基づいて許可及び認証するステップ、をさらに含むことを特徴とする方法。
【請求項１８】
請求項１４に記載の方法は、
最初の許可及び認証時に、後の許可及び認証が前記第２の無線通信システムに優先的に固定するように、前記無線電話の中に入力された、前記第２の無線通信システムに対して固有の加入者識別（ＳＩＤ）コードを使用するように構成された許可及び識別を行うステップ、をさらに含むことを特徴とする方法。
【請求項１９】
請求項１８に記載の方法は、
前記支配的な無線通信システムの代わりに前記第２の無線システム内で、前記無線電話を動作させるステップ、をさらに含むことを特徴とする方法。
【請求項２０】
支配的な無線通信システムと重複した地域の第２の無線通信システム内で、新規ユーザの無線電話を起動及び認証する方法であって、
前記支配的な無線通信システムと重複した地域の規定された小さな区域内で起動及び認証を可能にするステップと、
前記小さな領域内で、前記第２のシステムの自動私設サービス起動（ＡＰＳＡ）ユニットから移動識別番号（ＭＩＮ）及び電子一連番号（ＥＳＮ）を提供するステップと、
第２のシステムのデータベースと対話して、前記新規ユーザに記録を提供しサービスを可能にするステップと、
を含むことを特徴とする方法。
【請求項２１】
請求項２０に記載の方法は、
私設システムの識別番号（ＰＳＩＤ）を番号割当てモジュール（ＮＡＭ）の中に組み込むステップ、をさらに含むことを特徴とする方法。
【請求項２２】
請求項２１に記載の方法は、
無線起動システム（ＯＡＴＳ）プロセスによって組み込むステップ、をさらに含むことを特徴とする方法。
【請求項２３】
請求項２１に記載の方法は、
前記第２の無線システムのＤＣＣＨ上に固定するステップも、をさらに含むことを特徴とする方法。
【請求項２４】
支配的な無線通信システムと重複し、第２の無線通信システム内の無線電話の起動及び認証を行う無線アクセスを含む前記第２の無線通信システムであって、
ユーザのリスト並びにユーザの容貌及び特徴を含み、前記第２の無線通信システム内のサービスを要求する個人が利用しやすく、かつ前記個人がアクセス要求を実行する前に移動局番号及びアクセス情報に関する情報を入力可能なインターネット／イントラネット接続のデータベースと、
前記第２の無線通信システム内で起動を求める無線電話のアクセス要求を受け入れる自動私設サービス起動（ＡＰＳＡ）ポートと、
を含むことを特徴とする第２の無線通信システム。
【請求項２５】
請求項２４に記載の無線通信システムであって、
規定された空間制限でのみアクセスコントロールチャネルの信号レベルを超えるレベルで信号を放射するアクセスコントロールチャネルを提供する前記ＡＰＳＡポートと、
前記第２の無線通信システム内で起動を求める無線電話を受信するために設けられた空間と、
をさらに含むことを特徴とする無線通信システム。
【請求項２６】
無線セントレックス環境において、支配的な無線通信システムと重複し、第２の無線通信システム内の無線電話の起動及び認証を行う無線アクセスを含む前記第２の無線通信システムであって、
公衆交換電話網（ＰＳＴＮ）に関連したローカルディジタルスイッチに接続される複数の音声アクセスポート（ＶＡＰ）と、
前記第２の無線通信システム内で起動を求める無線電話のアクセス要求を受け入れる自動私設サービス起動（ＡＰＳＡ）ポートと、を含み
前記ＡＰＳＡポートは、
ＰＳＴＮに関連したローカルディジタルスイッチに接続され、
規定された空間制限でのみアクセスコントロールチャネルの信号レベルを超えるレベルで信号を放射するアクセスコントロールチャネルを提供することを特徴とする第２の無線通信システム。
【発明の詳細な説明】
【０００１】
（技術分野）
本発明は、無線電話の通常のホームシステム以外の無線システム又はローミング形の起動としてアクセスを許可するシステムにおいて、無線電話のサービスを起動する問題に関する。特定の態様では、本発明は、マクロシステム又は第１のシステムと重複した局所的システム又は第２のシステムの中で動作する無線電話の起動に関する。永久的な又は限定された存続期間に対する私設又は第２の無線システムにおける起動が検討される。本発明は、具体的には、ディジタル式無線／移動電話の最初の起動に関する。そのような無線システム上でサービスを得るための、無線ハンドセットの自動起動機能を使用する方法が説明される。１つの特定の態様では、本発明は既存の規格に合致／遵守して建物内／構内の無線ユーザへサービスを提供することにある。この無線システムは、携帯電話、ＰＣＮ、ＰＣＳ又は同様の移動無線システムとすることができる。
【０００２】
（背景技術）
無線電話は一般に、特定の無線システムの中で動作可能とする前に起動する必要がある。普通は、このプロセスは一度だけ要求される。その理由は、そのシステム内で無線電話を続いて使用することが既に許可されているためである。異なるシステム内のアクセスは、一般に、他のシステムに移動する場合に無線電話を使用することを可能にするローミング処理によってカバーされる。この使用許可の承認は、異なるシステム間の取決めと、無線電話のそのホーム領域外の動作の妥当性を検証するデータベースへのアクセスと、に依存する。
【０００３】
ローミングを許可する取決めに入っておらず、また、局所的な及び／又は私設の無線システムの使用を求める無線電話のホームキャリアを含む他のキャリアによって既にカバー又はオーバレイされた領域内で、実際に動作する局所的な及び／又は私設の無線システムが多数ある。そのような局所的な及び／又は私設の無線システムは、戸外のマクロセルシステム（ｍａｃｒｏｃｅｌｌ ｓｙｓｔｅｍｓ）に比べると低い信号レベルで動作する。これらの局所的な及び／又は私設のシステムは、建物の中や構内のサイトで見出すことが多い。
【０００４】
ディジタル携帯電話ＴＤＭＡシステムをカバーする携帯電話の規格であるＴＩＡ／ＥＩＡ−１３６は、私設ユーザのコミュニティにサービスを提供することを明白に規定している。サービスは、私設／局所無線システムからサービスを要求する各無線電話の中に入力された私設システム認識（ＰＳＩＤ）コードによって許可される。このＰＳＩＤコードは、サービスを要求しているハンドセットに入力する必要がある。このプロセスは基本的であるが、実体経済の面では簡単ではない。例えば、ＰＳＩＤを手動で無線電話に入力することは基本的であるが、同時に、特に「多数」のユーザにサービスを最初に提供する環境においては非能率的で費用がかかる。時々ではあるが、経験を積んだ人の介在を要求する既に構築された登録プロセスも残されている。この処理は、登録の存続期間及び与えられた使用権限の制御に関する決定を含む必要がある。
【０００５】
無線による必要な情報のダウンロードによって、サービスの提供は、公衆通信事業者の多くのマイクロセルラ（ｍａｃｒｏｃｅｌｌｕｌａｒ）の携帯電話／無線システム上で利用することができる。１つの携帯電話のシステムでは、電話番号及びシステムＩＤ（ＳＩＤ）コードが、無線電話／携帯電話に割り当てられてダウンロードされ、ユーザは無線電話によって提供された視覚的に表示された操作メニューに呼応して関連情報を入力する。登録は、ディジタル式マイクロセルラのＲＦコントロールチャネルの範囲を検索するステップ、受信した最強のコントロールチャネルにラッチするステップ、及び次に、起動及び認証情報を無線で無線電話に組み込むステップを含む、特定の順序のステップを用いて完了する。
【０００６】
この自動セットアップ処理についてのキーは、１つには、その場所で最強のマイクロセルラのセットアップチャネルを優先的に捜す（すなわち、同調させる）無線電話／携帯電話の能力である。このことは、私設及び局所無線／携帯電話のシステムについての自動セットアップ処理に対する要求を複雑なものにする。第１の障害は、マイクロセルラシステムの信号レベルが、私設／局所システムに比べて比較的高いことである。マイクロセルラシステムの信号レベルが比較的高いことにより、私設／局所システムのどのようなセットアップチャネルも無効にされ、無線電話が局所／私設システムにラッチすることが不可能となる。
【０００７】
現在では、無線／移動ディジタル電話（例えば、ディジタル式携帯電話）をより強力で無線通信システム（すなわち、マイクロセルラのシステム）によって支配された地域の第２の無線通信システムとして自動的に提供する方法はない。マイクロセルラの強力な信号により、第２のシステムが提供する全ての送信信号が無効にされる。
【０００８】
（発明の開示）
必要なシステム情報を無線電話に直接ダウンロードすることによって、第２の（すなわち、私設の）無線通信システム（例えば、携帯電話システム）に対する登録及び起動を実現するための自動的な起動を可能にする、無線電話の固有のダウンロード能力を個々の無線電話（すなわち、携帯電話）が使用可能にする方法及び装置が提供される。
【０００９】
私設の／ローカライズされた無線／携帯電話のシステム（すなわち、第２のシステム）におけるディジタル式無線／携帯移動電話の自動起動（すなわち、最初のアクセス）は、本発明に基づいて、マイクロセルラの第１の無線通信システム（すなわち、支配的なシステム）と重複した地域の中で行われる。第２のシステムからのサービスを登録及び受信するための第２のアクセス処理の操作は、支配的な無線通信システムのコントロール信号レベルによる干渉から、第２のシステムに対するアクセス及び認証プロセスを遮蔽／マスクすることによって達成される。最初のアクセスの間に、第２のシステムには、認証及び結果として生ずるアクセスに必要なＰＳＩＤ、ＭＩＮ及びＥＳＮ番号が提供される。
【００１０】
特に、このプロセスは、認証の間のみマスクを必要とし、アクセス処理はこのプロセスに対してのみ遮蔽／マスクを許可する。１つのマスク構成では、アクセス及び認証処理に対して使用される第２のシステム用のアンテナが、コントロールチャネルの信号を放射する。この信号は、第２のシステムのアクセス用アンテナから極めて短い距離内でのみ、支配的なシステムのコントロールチャネルの放射レベルを超える。例えば、ある場合では、この距離は約１インチ以下である。このため、無線電話がこの距離内である場合、第２のシステムはアクセス及び認証処理を行う地域内で支配的なシステムとして動作することができる。
【００１１】
他の実施形態では、アクセス処理専用の第２のシステムのアンテナは、筐体の中で支配的なシステムからの放射をブロックする遮蔽された筐体の中に置かれる。そのような遮蔽は、箱の筐体内に形成された導電性グリッドとすることができる。この筐体内に無線電話を挿入し、アクセス処理に使用される第２のシステムのアンテナの隣りに配置する。
【００１２】
１つの具体例としての実施形態では、第２のシステムは、重複する支配的なシステムが使用するものと等しい信号フォーマット及び周波数をアクセスに使用する。これらは、私設ユーザコミュニティにサービスを提供する規格を決める、ＡＮＳＩ ＴＩＡ／ＥＩＡ−１３６のような、携帯電話の規格によって定義される。特定の実施形態では、第２のシステムは支配的なシステムのオーバーヘッドのチャネルをスキャンして、自分自身のオーバーヘッド及びコントロールのチャネルを作るためにこれらの信号及び周波数を複製する。
【００１３】
開示された実施形態では、第２の無線通信システムは、重複した支配的な無線通信システムによってカバーされた地域内で動作する。この第２のシステムは、少なくとも１つアクセス方法において、支配的なシステムと等しいアクセス信号及び技術（すなわち、ＴＩＡ／ＥＩＡ−１３６の処理手順）を使用する。この第２のシステムは、場合によっては、支配的なシステムが使用しない異なるアクセス方法（すなわち、アナログ処理）を使用する。第２のシステムの特別なアクセスモードは、初期の認証及び第２のシステム内の処理を可能とするために無線電話の中に入力されるアクセスデータを必要とする新しい無線電話にアクセスするための作用を持つ。無線電話が第２のシステムのアクセス用アンテナに対して適切に配置され、第２のシステムのアクセス用アンテナから受信された放射が支配的なシステムの周囲に放射された信号強度よりも強くなるように電話が配置された場合のみ、アクセスが可能となる。
【００１４】
開示された実施形態の変形例では、第２／マイクロセルラーのシステムは支配的な／マイクロセルラのシステムと、両者が互いに作用するように相互接続される。特定の態様では、相互／イントラネット接続されたデータベースは、両方のシステムが使用することができる。そのようなデータベースは、インターネット／イントラネット接続により第２のシステムにアクセスを求める個人が容易にアクセスすることができる。そのようなデータベースを使用して、移動局の電話番号を提供したり、さらに他のサービスプロバイダの情報を提供することができる。
【００１５】
（発明を実施するための最良の形態）
図１に、私設無線通信（すなわち、第２の）システム１００を示す。システム１００は、システム１００で使用されているよりもはるかに強い信号強度である動作及びアクセス信号を有する公的又は第１の無線電話（すなわち、支配的な）システムと重複している（すなわち、他のシステムの放射信号によってカバーされた地域にある）とする。重複しているシステムは、いくつかはアナログであるが、主にディジタルであると考えられる。それらのシステムは、ＴＩＡ／ＥＩＡ−１３６，ＩＳ−９５，ＩＳ−５４，ＥＤＧＥ又は他の規格に基づいて動作する。この私設システム１００は、ＴＩＡ／ＥＩＡ−１３６規格のもとで動作する例示的な実施形態であるが、本発明は他の規格（例えば、ＧＭＳ，ＤＥＴＣなどを含む）のもとでの動作も意図していることも明記する。支配的なシステムの信号強度が高いために、無線電話のユーザはこの第２のシステム１００に接続することができない。
【００１６】
コントローラ１０１は、第２の（すなわち、一次／私設）無線システムの動作を管理する。このコントローラ１０１は、ネットワークサービスプラットフォーム（ＮＳＰ）１０２、データベース１０３、及びディジタルスイッチ１０４を備えている。コントローラ１０１は、その機能的なサブユニットを用いて、ディジタルスイッチング及びネットワーク上の動作を実行する。これらのネットワーク上の動作には、呼び出し設定、機能申込み、加入者データベースの維持、セキュリティ機能、故障検出及び解決、及びＲＦ管理機能が含まれる。ＮＳＰ１０２はサーバであり、その関連するデータベース１０３を用いて、動作上のルール及び規則を提供し、様々な用途／ユーザを監視／識別する。
【００１７】
２つの音声アクセスポート（ＶＡＰ）１０５及び１０６はシステムの基本ステーションとして動作し、例示的な私設無線通信システム１００の中で動作する無線電話１０７及び１０８に無線サービスを提供する。このＶＡＰ１０５は、ラインインターフェースを介してディジタルスイッチ１０４に接続される。このラインインターフェースは、ＩＳＤＮ／ＢＲＩ接続、１０ベースＴ接続又は任意の他の標準的な電話回線（例えば、ＰＯＴＳ）とすることができる。ＶＡＰ１０６も同様に、ＩＳＤＮ／ＢＲＩ接続、１０ベースＴ接続又は任意の他の標準的な電話回線（例えば、ＰＯＴＳ）を介してディジタルスイッチ１０４と接続される。ＶＡＰは、公衆無線通信システムと同様に（すなわち、原理的に）動作する小形の（すなわち、ミニチュアの）基地局と仮定する。例示的な実施形態では、コントローラは、私設／第２のシステムの放射地域内の動作地域と共に配置される。別の構成では、このコントローラ１０１は、ＮＳＰ１０２を電話局で構内ディジタルスイッチに接続して（すなわち、ディジタルスイッチ１０４と置き換えて）配置される。
【００１８】
ＩＳＤＮ（総合ディジタル通信網）接続は、銅線及び他の送信媒体に対するディジタル送信用の１組の規格に適合する。提案されるサービスのレベルは、小さい私設ユーザを意図したＢＲＩ（基本レートインターフェース）レベルであり、２つのＢ（ベアラ）チャネル（６４Ｋｂｐｓ）と１つのＤ（デルタ）チャネル（１６Ｋｂｐｓ）とを含んでいる。１０ベース−Ｔは、１０Ｍｂｐｓで動作する多くのイーサネット（登録商標）システムによって使用されるキャリア媒体接続（例えば、ツイストペア線）である。前述した送信媒体は当業者には周知なため、これ以上の説明は不要と思われる。
【００１９】
ディジタルスイッチ１０４は構内ディジタルスイッチ（ＬＤＳ）１１０に接続され、この構内ディジタルスイッチ１１０はディジタルスイッチ１０４に向かう又はそこから入るディジタル信号を処理する。ＬＤＳ１１０は、電話局に配置された公衆スイッチ又は顧客構内のＰＢＸ（構内交換機）とすることができる。これらの種々のスイッチング構成は当業者に周知であり、詳細に説明する必要はない。種々のラインの電話１１５がＬＤＳ１１０に接続される。中継線１０９は、ＬＤＳ１１０を公衆ネットワーク１１４に接続する。
【００２０】
自動私設サービス起動（Ａｕｔｏｍａｔｉｃ Ｐｒｉｖａｔｅ Ｓｅｒｖｉｃｅ Ａｃｔｉｖａｔｉｏｎ）（ＡＰＳＡ）装置１２５が、ＩＳＤＮ／ＢＲＩ接続によってコントローラ１０１に接続されている。ＡＰＳＡ１２５は基本的には、ローカルシステム１００の小形の基地局であり、この接続が支配的なシステムの放射からマスク／遮蔽される構成のもとで、無線電話がコントローラと通信システムできるようにされている。具体的な実施形態では、ＡＰＳＡ装置はアナログ及びディジタルの両方のアクセスチャネルを放射する。このチャネルは、ＡＰＳＡ１２５が扱う第２のシステムと重複するマクロセルラの第１の通信システムに割り当てられた信号と同じ周波数範囲を持つ。仮定された例示的な遮蔽／マスク技術は、図３及び図４に示されている。
【００２１】
例示的な実施形態では、この小形の基地局は、アナログ及びディジタルの両方のチャネルを確立可能な携帯電話用無線基地局である。この基地局はディジタル無線処理（ＤＲＰ）技術に基づいている。この技術は、従来のアナログ信号処理技術ではなく、数値による信号処理技術を使用して、携帯電話用無線信号の送信及び受信を実現する。これらの無線技術は当業者には周知であるため、本願ではさらに説明する必要はない。
【００２２】
ＡＰＳＡ１２５及びＶＡＰ１０５及び１０６は、例示的な実施形態では、小形の基地局であり、アナログ及びディジタルの両方のフォーマット（すなわち、ＴＩＡ／ＥＩＡ−１３６）を用いて無線電話と通信する能力がある。これらは同時にいくつかのチャネル上で送信及び受信を可能にする複数チャネルの能力があり、これにより異なる変調技術及びチャネルコーディング技術が可能となる。図１に示すように、これらは、標準的なラインインターフェース（例えば、ＩＳＤＮ ＢＲＩ，ＩＳＤＮ ＰＲＩ，１０ベースＴ，中継線／ＰＲＩなど）によって、スイッチ又はスイッチを含むコントローラに接続される。
【００２３】
ＡＰＳＡ１２５は、第２の通信システムの動作範囲の入口又は周辺部又はその組合わせに配置される。それは、外部環境にさらされる囲まれた区域（例えば、入口のロビー）又は筐体の中で動作する。入構許可システムを備えた入口にある場合、ＡＰＳＡ１２５は入場確認用に使用される無線リンクのバッジにも反応する。アナログ及びディジタルのアクセス信号の送信パワーは、厳重に定義された空間（すなわち、通常ＡＰＳＡアンテナから数インチ以内）の中に配置された無線ハンドセットを用いてアクセス処理を実行する必要があるレベルに設定される。
【００２４】
具体例としてのＡＰＳＡ１２５の動作環境が、図３に概略的に図示されている。この実施形態は、表面３０１の傍にある無線電話のユーザを示している。この表面３０１に、無線電話のハンドセット３０５を、提供された説明書に基づいて配置する。ＡＰＳＡ１２５のアンテナは、この表面の直ぐ後に配置される。この表面は、例示的な実施形態では、電磁放射を透過する。アンテナにより放射される距離及び信号強度は、表面３０１において無線電話のハンドセットに加えられる電界強度が、重複する第１の又は支配的なシステムから放射された信号強度を超えるように選択される。略図の下にある信号の強度曲線のグラフは、第２のシステムのアクセス用アンテナからの距離に対する信号強度を指している。このグラフは、第２のアンテナからの直線距離に関して、第２の及び支配的なシステムとの両方の信号の電界強度を比較している。明確に理解できるように、第２のシステムの放射の信号強度は、第２のシステムのアンテナに極めて近い距離では優位システムの周囲の電界強度を超えている。
【００２５】
アンテナはＲＦ処理回路３０３に接続され、このＲＦ処理回路３０３は基地局装置３０４に接続される。この基地局装置３０４はコントローラ１０１に接続される。第２のシステムの潜在的な新しいユーザが容易にアクセスできる位置に、ＡＰＳＡ１２５を配置することが好ましい。そのような位置は、第２のシステムを含む建物の入口である。他の位置も当業者が推考できる範囲のものであろう。
【００２６】
別の構成が、図４の略図の中に示されている。この構成では、第２のシステムのアクセス用アンテナ４０２が、支配的なシステムの周囲の放射から遮蔽されている。図４の例示的な実施形態では、遮蔽機構は、アンテナ４０２を囲んで、箱内で支配的なシステムの周囲放射のレベルを防止／減少させる箱４０７である。箱４０７の中で、無線電話は支配的なシステムの放射から無関係に、第２のシステムのアンテナ４０２と単独で相互作用する。
【００２７】
別の実施形態は、支配的なシステムの放射レベルに関わらずアクセスできるように、指向性の高い放射構成体を有する外部アンテナを使用する。この構成は、アンテナ及びＡＰＳＡ回路が共に配置されない又は他の配置上の制約が存在する場合に役に立つ。
【００２８】
第２の通信システム内の無線電話を起動する処理は、例示的なＴＩＡ／ＥＩＡ−１３６の処理に続いて、図２の処理フローチャートに示されている。この処理は、稼働中の第２の通信システムの信号動作を続けることに基づいている。ブロック２２１に示すように、ＡＰＳＡ基地局は連続的にスキャンして、支配的な通信システムのアナログ及びディジタルのマクロセルのオーバーヘッドチャネルを検出する。ブロック２２３のように、これらの信号は、登録要求を受信するためにＡＰＳＡによって複製される。ＡＰＳＡは、ブロック２２５のように、第１のマクロセル内で使用される同一周波数上のディジタル及びアナログのコントロールチャネルとして、これらの複製された信号を送信する。
【００２９】
ブロック２０１のように、ユーザがＡＰＳＡアンテナの近くにハンドセット（すなわち、無線電話）を置くと、起動／アクセス処理が開始される。判断ブロック２０３のように、このハンドセットが以前ディジタルサービス上で動作したことがあるかどうかを決定するために、照会が実行される。動作したことがない場合、ブロック２０５のように、ハンドセットはアナログのオーバーヘッドチャネルを発見し、それに固定される。ハンドセットは、ブロック２０９のように、アナログのＡＣＣＨ（アナログコントロールチャネル）内のＤＣＣＨ（ディジタルコントロールチャネル）をデコードし、ＡＰＳＡのＤＣＣＨを検出する。ハンドセットは、次に、ブロック２１１のように、そのＥＳＮ及びＭＩＮの送信をＡＰＳＡに登録する。
【００３０】
ブロック２０３が、ハンドセットが以前ディジタルサービス上で動作したことがあると判断した場合、フロー処理は指示のブロック２０７に進む。ハンドセットは指示される場合、ＴＩＡ／ＥＩＡ−１３６の勧告された検索処理に従う。ハンドセットのＥＳＮ及びＭＩＮの送信の後で、ＡＰＳＡへの登録が達成される。
【００３１】
ＡＰＳＡはＥＳＮ及びＭＩＮを解析し、ブロック２１３のように、それを第２のシステムのシステムコントローラに送る。ＡＰＳＡは、ブロック２１５のようにＯＡＴＳプロセスを開始し、ブロック２１７のように、ハンドセットは従来のＯＡＴＳプロセスを実行し、ＡＰＳＡがＰＳＩＤを組み込む。このＰＳＩＤは、ハンドセットを私設システムのＤＣＣＨ上に優先的に固定させる私設のＳＩＤである。
【００３２】
ＯＡＴＳ（無線起動テレサービス）は、無線電話（すなわち、移動局、ＭＳ）と顧客サービスセンタとの間のデータ交換を支援する標準プロセス（ＴＩＡ／ＥＩＡ−１３６−７２０）である。ＯＡＴＳは、プログラムされていない無線電話の起動及び以前起動された無線電話内のＮＡＭパラメータの変更を行うためにメッセージのフローを適切に提供する手引きを提供する。図５、図６、図７及び図８は、ＯＡＴＳの処理を支援する例示的なメッセージのフローを示している。プリアンブルのメッセージフローが図５に示され、図６では、プログラムされていない無線電話（すなわち、ＭＳ）を起動する、ＤＴＣ（ディジタルのトラフィックチャネル）上のメッセージフローの実施例が示されている。
【００３３】
ＤＴＣ上の、以前起動された無線電話用のメッセージのフローが図７に示され、ＤＣＣＨ上の以前起動された無線電話用のメッセージのフローが図８に示されている。ＯＡＴＳは当業者には周知の処理であり、これ以上の説明は不要と思われる。
【００３４】
ＤＣＣＨの検索参照モデルが、図９にフローチャートの形式で示されている。この図は基本的に、ハンドセットが通電され又は動作中で、ＤＣＣＨが検索されることを示している。アナログ及びディジタルが区別され、スキャンがコントロールチャネルに対して行われる。処理はコントロールチャネルのスキャンに依存しており、条件にかなったサービスを持つ適当なコントロールチャネルが見つかると、ハンドセットはスキャニングを止め、この条件にかなったサービス上に留まる（すなわち、固定する）。この処理はＴＩＡ／ＥＩＡ−１３６の一部であり、当業者には周知である。これ以上の説明は不要と思われる。
【００３５】
本発明のサービス部分はイントラネットベースのアプリケーションプログラムを使用して、パケットフォーマットで私設のシステムコントローラと通信する。完全に自動的な例では、このコントローラはＡＰＳＡユニットからハンドセットのＭＩＮ及びＥＳＮを受信し、新規のユーザを承認する認証用データベースと対話及び／又はそれを更新する。そのような更新は、アクセス権の強さにより、適切と思われるいくつかのサービスのシナリオの１つに適合する。以下は実施例であるが、当業者は他のレベルも可能であることは理解されよう。
【００３６】
１．企業のデータベースへのアクセスを介して、ユーザが私設のユーザコミュニティを支持する組織の一員であることを検証する。そのようなユーザは、全特権付きで無期限にアクセスすることが許可される。
【００３７】
２．限定された期間、及び、無制限又は限定されたいずれかの特権を有して、組織に招待され、システムへのアクセスを希望するビジターとして、ユーザを識別する。この場合、アクセス及び有効期間を認証するために、セキュリティ担当者の介入が必要とされる。この動作は、セキュリティ担当者の立場で利用可能なイントラネットのアプリケーションページによって行うことができる。
【００３８】
３．建物内の向上したサービスを得るためにシステムにアクセスすることを許される、（マクロセルラーの加入者用データベースにアクセスすることによって）マクロセルラーの加入者としてユーザを識別する。しかし、このサービスは、マクロセルラーの申込みを通して課金される。
【００３９】
４．建物内の非常時のみ（９１１）の許可を有しているとして、ユーザを識別する。
【００４０】
また、建物内のサービスを要求する個人が直接アクセスできるインターネット接続のデータベースへのアクセスが、前もっての携帯電話の番号及びサービスプロバイダの情報の入力により（適当なセキュリティのファイアウォール付きで）可能にされる。このデータベースへのアクセスにより、有料又は無料で建物内のサービスの自己管理が可能となる。そのようなサービスが役に立つ場合の例は、ホテル又は航空会社の優先顧客クラブである。
【００４１】
ユーザの検証に続いて、指定されたデータベースを介して、コントローラはＡＰＳＡユニットと共に動作し、システムＩＤメッセージ（ＰＳＩＤ／ＲＳＩＤ）を送信する。このメッセージは、ハンドセット内のソフトウェアと連携して、ＰＳＩＤを番号割当てモジュール（ＮＡＭ）のメモリ領域内にＯＡＴＳを用いて組み込む。ＴＩＡ／ＥＩＡ−１３６の要求に続いて、ハンドセットが新しい私設ＳＩＤでプログラムされた後に、ハンドセットが私設システムのＤＣＣＨ上に固定することが好ましい。
【００４２】
本発明は、ショッピングセンタ、アトラクション、及びコンベンションなどの特に局所的な環境で、いわゆる「テレポイント様」のサービスをユーザに提供するために使用することもできる。そのようなサービスによって、電話をマクロセルラのシステムとは別に私設の携帯電話の環境で扱うことができる。そのような用途では、異なる電話料金や特別な機能（例えば、機能強化したローカル呼び出し計画）を提供することができ、又はサービスを要求するハンドセットが使用する規格ではなく、ＣＡＩ規格によってカバーされるサービス区域で動作する「底流」の携帯電話システムにアクセスすることができる（例えば、国際空港におけるような、欧州ＧＳＭサービス区域におけるカプセル化されたＴＩＡ／ＥＩＡ−１３６サービス）。これらの事例では、私設ＳＩＤの代わりに住宅ＳＩＤを使用することができるが、他の手順も同様に使用できる。
【００４３】
本発明を特定の実施形態の中で例証してきたが、本発明の範囲に入るその多くの変形例があることは容易にはっきりと理解できる。これらの変形例を実行することは、本発明の範囲に入る。例示的な変形例は、図１０に示されている。動作環境は、家庭又は小形のオフィス環境の中の無線セントレックスの環境である。ここでは、無線又はコードレスの通信装置が、インターネット又はＰＳＴＮ（公衆交換電話網）などの公衆通信回線に接続される。この実施形態では、音声アクセスポート（ＶＡＰ）１５１，１５２及びＡＰＳＡ１５５が、ＩＳＤＮ／ＢＲＩライン１５７，１５８，１５９を介してローカルのサービスプロバイダの公衆ディジタルスイッチ１６１（例えば、５ＥＳＳ，ＤＭＳ１００スイッチなど）に接続される。本発明の多くの他の変形例は、等しく当業者によって考えられる。
【図面の簡単な説明】
【図１】重複した支配的なシステムの周囲のコントロール信号の放射を受ける第２のシステムとなる無線通信システムのサービスアーキテクチャのブロック図である。
【図２】無線電話がアクセスし、図１の無線通信システムによって認証されるプロセスのフローチャートである。
【図３】第２のシステムの中でアクセスに使用されるアンテナ配置の図である。
【図４】第２のシステムの中でアクセスに使用される別のアンテナ配置の図である。
【図５】ＯＡＴＳ処理を支援するメッセージフローの処理を示す図である。
【図６】ＯＡＴＳ処理を支援するメッセージフローの処理を示す図である。
【図７】ＯＡＴＳ処理を支援するメッセージフローの処理を示す図である。
【図８】ＯＡＴＳ処理を支援するメッセージフローの処理を示す図である。
【図９】ＴＩＡ／ＥＩＡ−１３６ ＤＣＣＨ検索処理のフローチャートである。
【図１０】図１とは別のサービスアーキテクチャのブロック図である。
【図１】
2004503157.tif 000003
【図２】
2004503157.tif 000004
【図３】
2004503157.tif 000005
【図４】
2004503157.tif 000006
【図５】
2004503157.tif 000007
【図６】
2004503157.tif 000008
【図７】
2004503157.tif 000009
【図８】
2004503157.tif 000010
【図９】
2004503157.tif 000011
【図１０】
2004503157.tif 000012
【国際公開パンフレット】
2004503157.tif 000013
2004503157.tif 000014
2004503157.tif 000015
2004503157.tif 000016
2004503157.tif 000017
2004503157.tif 000018
2004503157.tif 000019
2004503157.tif 000020
2004503157.tif 000021
2004503157.tif 000022
2004503157.tif 000023
2004503157.tif 000024
2004503157.tif 000025
2004503157.tif 000026
2004503157.tif 000027
2004503157.tif 000028
2004503157.tif 000029
2004503157.tif 000030
2004503157.tif 000031
2004503157.tif 000032
2004503157.tif 000033
2004503157.tif 000034
2004503157.tif 000035
2004503157.tif 000036
2004503157.tif 000037
2004503157.tif 000038
2004503157.tif 000039
2004503157.tif 000040
2004503157.tif 000041
2004503157.tif 000042
2004503157.tif 000043
【国際公開パンフレット（コレクトバージョン）】
2004503157.tif 000044
2004503157.tif 000045
【国際公開パンフレット（コレクトバージョン）】
2004503157.tif 000046
2004503157.tif 000047
【国際調査報告】
2004503157.tif 000048
2004503157.tif 000049